(57)【要約】【課題】本発明は運動防護ヘルメットを開示した。【解決手段】ヘルメット及び前記ヘルメットの中に設置される安全チャンバを含み、前記安全チャンバの頂壁の中には放熱チャンバが設置され、前記安全チャンバの頂壁の中に前記放熱チャンバを貫通する複数組の通気孔が設置され、前記放熱チャンバの底壁の中にはギヤチャンバが設置され、前記ギヤチャンバの底部の中にはベルトチャンバが設置される；本発明の設備は操作が簡単で安全であり、設備は同一の動力源を利用してヘルメットを連動させて固定させ、同時にこの動力源を利用してファンの放熱を連動させ、設備には防護カバー自動開閉装置が設置されており、防護カバーを開けると同時に上記機能の動力の切換を連動させる。【選択図】図１
2020153045.tif 000002
【特許請求の範囲】
【請求項１】
ヘルメット及び前記ヘルメットの中に設置される安全チャンバを含み、前記安全チャンバの頂壁の中には放熱チャンバが設置され、前記安全チャンバの頂壁の中に前記放熱チャンバを貫通する複数組の通気孔が設置され、前記放熱チャンバの底壁の中にはギヤチャンバが設置され、前記ギヤチャンバの底部の中にはベルトチャンバが設置され、前記ベルトチャンバと前記ギヤチャンバとの間には糸巻きチャンバが設置され、前記糸巻きチャンバの中には放熱装置が設置され、前記ヘルメットの上方には防護カバーが設置され、前記ヘルメットの後側端壁の中には第一モータが固定的に設置され、前記第一モータの出力軸の後ろへ伸びている末端が前記防護カバーと固定的に連結され、前記安全チャンバの前側端壁の中には伝動チャンバが設置され、前記伝動チャンバの中には前記防護カバーと固定的に連結される第一回転軸が回転できるように設置され、前記第一回転軸の外面には第一ベベルギヤが固定的に設置され、前記伝動チャンバの下方には収納チャンバが設置され、前記収納チャンバの中には引き締め装置が設置され、前記収納チャンバの前側端壁の中には上へ伸びている切換チャンバが設置され、前記切換チャンバの後側端壁の中にはスライドチャンバが設置され、前記スライドチャンバの中には切換装置が設置され、前記切換チャンバの後側端壁の中には前記スライドチャンバの上方に位置する回転チャンバが設置され、前記回転チャンバと前記切換チャンバとの間には第二回転軸が回転できるように設置され、前記切換チャンバの中の前記第二回転軸の末端には第一ギヤが固定的に設置され、前記回転チャンバの中の前記第二回転軸の末端には回転盤が固定的に設置され、前記回転盤の後側端壁には偏心ブロックが回転できるように設置され、前記回転チャンバと前記糸巻きチャンバとの間には抜き孔が連通して設置され、前記放熱装置と、前記引き締め装置と、前記切換装置とを合わせて使用し、ヘルメットのかぶり心地をもっと快適にさせ、ヘルメットの使用にもっと適することを特徴とする運動防護ヘルメット。
【請求項２】
前記放熱装置は前記放熱チャンバの底壁の中に回転できるように設置される第三回転軸を含み、前記第三回転軸の底部末端にはファンが固定的に設置され、前記第三回転軸が前記ギヤチャンバの中に挿入され、前記第三回転軸の外面には第二ギヤが固定的に設置され、前記第三回転軸が前記ベルトチャンバの中に挿入され、前記第三回転軸の外面には第一プーリが固定的に設置され、前記糸巻きチャンバの上下端壁の中には第四回転軸が対称的に設置され、上端の前記第四回転軸の末端が前記ギヤチャンバに挿入され、且つ上端の前記第四回転軸の末端には前記第二ギヤと噛み合う第三ギヤが固定的に連結され、下端の前記第四回転軸の末端が前記ベルトチャンバに挿入され、且つ下端の前記第四回転軸の末端には前記第二プーリが固定的に連結され、前記第一プーリと前記第二プーリとの間がベルトにより伝動できるように係合連結され、前記糸巻きチャンバの中には第五回転軸が回転できるように設置され、前記第五回転軸と前記第四回転軸との間にはラチェット歯止めの方向が逆であるラチェットギヤ装置が設置され、前記第五回転軸の外面には第一リールが固定的に設置され、前記第一リールの上下端壁と前記糸巻きチャンバの上下端壁との間には捻りばねが弾性的に設置され、前記第一リールの外面には前記抜き孔を貫通して前記偏心ブロックと固定的に連結される引き線が周設され、前記第一リールが正方向と逆方向へ回転することにより、ファンを連動させて回転させて放熱させることを特徴とする請求項１に記載の運動防護ヘルメット。
【請求項３】
前記引き締め装置は前記収納チャンバと前記切換チャンバとの間に回転できるように設置される第六回転軸を含み、前記収納チャンバの中の前記第六回転軸の外面には第二リールが固定的に設置され、前記第二リールの外面には、前記収納チャンバの底部の貫通孔を貫通し、且つ前記ヘルメットの底壁と固定的に連結される弾力縄が巻きつくように設けられ、前記切換チャンバの中の前記第六回転軸の末端には第四ギヤが固定的に設置され、前記切換チャンバの底壁の中にはスライド孔が設置され、前記スライド孔の中にはロックロッドがスライドできるように設置され、前記ロックロッドと前記スライド孔の端壁との間には前後対称の復帰ばねが弾性的に設置され、前記第二リールが回転して前記弾力縄を連動させて引き締め、ヘルメットの固定に便利であることを特徴とする請求項１に記載の運動防護ヘルメット。
【請求項４】
前記切換装置は前記スライドチャンバの中に回転できるように設置されるスライドブロックを含み、前記スライドブロックの中には上下に貫通するネジ穴が設置され、前記ネジ穴の中には上に伸びているネジ山ロッドがネジ山により連結され、前記ネジ山ロッドの頂部末端が前記伝動チャンバに挿入し、前記ネジ山ロッドの頂部末端には前記第一ベベルギヤと噛み合う第二ベベルギヤが固定的に設置され、前記スライドブロックの前側端壁の中には第二モータが固定的に設置され、前記第二モータの出力軸の前へ伸びている末端には前記第一ギヤと噛み合う第五ギヤが固定的に設置され、前記ネジ山ロッドが前記スライドブロックを連動させて上下に移動させ、これにより前記第五ギヤの上下移動を連動させ、動力の切換を実現することを特徴とする請求項１に記載の運動防護ヘルメット。
【発明の詳細な説明】
【技術分野】
【０００１】
本発明は運動防護用品分野を取り上げて、具体的には運動防護ヘルメットである。
【背景技術】
【０００２】
エクストリームスポーツの普及につれて、必要な防護がますます重要になり、特に頭部の防護、伝統的な運動防護ヘルメットは自動固定装置を有しなく、且つ防護マスクが自動的に開閉できないので、操作が不便であり、現有の運動防護ヘルメットの内部が蒸し暑く、かぶり心地があまり良くなく、そのため、運動防護ヘルメットを設計して上記の問題を解決することが必要となる。
【先行技術文献】
【特許文献】
【０００３】
【特許文献１】中国特許出願公開第１０５７６８３０８号明細書
【発明の概要】
【発明が解決しようとする課題】
【０００４】
本発明は運動防護ヘルメットを提供し、従来技術における上記欠点を解消し、設備の実用性を高めることを目的とする。
【課題を解決するための手段】
【０００５】
本発明の運動防護ヘルメットは、ヘルメット及び前記ヘルメットの中に設置される安全チャンバを含み、前記安全チャンバの頂壁の中には放熱チャンバが設置され、前記安全チャンバの頂壁の中に前記放熱チャンバを貫通する複数組の通気孔が設置され、前記放熱チャンバの底壁の中にはギヤチャンバが設置され、前記ギヤチャンバの底部の中にはベルトチャンバが設置され、前記ベルトチャンバと前記ギヤチャンバとの間には糸巻きチャンバが設置され、前記糸巻きチャンバの中には放熱装置が設置され、前記ヘルメットの上方には防護カバーが設置され、前記ヘルメットの後側端壁の中には第一モータが固定的に設置され、前記第一モータの出力軸の後ろへ伸びている末端が前記防護カバーと固定的に連結され、前記安全チャンバの前側端壁の中には伝動チャンバが設置され、前記伝動チャンバの中には前記防護カバーと固定的に連結される第一回転軸が回転できるように設置され、前記第一回転軸の外面には第一ベベルギヤが固定的に設置され、前記伝動チャンバの下方には収納チャンバが設置され、前記収納チャンバの中には引き締め装置が設置され、前記収納チャンバの前側端壁の中には上へ伸びている切換チャンバが設置され、前記切換チャンバの後側端壁の中にはスライドチャンバが設置され、前記スライドチャンバの中には切換装置が設置され、前記切換チャンバの後側端壁の中には前記スライドチャンバの上方に位置する回転チャンバが設置され、前記回転チャンバと前記切換チャンバとの間には第二回転軸が回転できるように設置され、前記切換チャンバの中の前記第二回転軸の末端には第一ギヤが固定的に設置され、前記回転チャンバの中の前記第二回転軸の末端には回転盤が固定的に設置され、前記回転盤の後側端壁には偏心ブロックが回転できるように設置され、前記回転チャンバと前記糸巻きチャンバとの間には抜き孔が連通して設置され、前記放熱装置と、前記引き締め装置と、前記切換装置とを合わせて使用し、ヘルメットのかぶり心地をもっと快適にさせ、ヘルメットの使用にもっと適する。
【０００６】
好ましくは、前記放熱装置は前記放熱チャンバの底壁の中に回転できるように設置される第三回転軸を含み、前記第三回転軸の底部末端にはファンが固定的に設置され、前記第三回転軸が前記ギヤチャンバの中に挿入され、前記第三回転軸の外面には第二ギヤが固定的に設置され、前記第三回転軸が前記ベルトチャンバの中に挿入され、前記第三回転軸の外面には第一プーリが固定的に設置され、前記糸巻きチャンバの上下端壁の中には第四回転軸が対称的に設置され、上端の前記第四回転軸の末端が前記ギヤチャンバに挿入され、且つ上端の前記第四回転軸の末端には前記第二ギヤと噛み合う第三ギヤが固定的に連結され、下端の前記第四回転軸の末端が前記ベルトチャンバに挿入され、且つ下端の前記第四回転軸の末端には前記第二プーリが固定的に連結され、前記第一プーリと前記第二プーリとの間がベルトにより伝動できるように係合連結され、前記糸巻きチャンバの中には第五回転軸が回転できるように設置され、前記第五回転軸と前記第四回転軸との間にはラチェット歯止めの方向が逆であるラチェットギヤ装置が設置され、前記第五回転軸の外面には第一リールが固定的に設置され、前記第一リールの上下端壁と前記糸巻きチャンバの上下端壁との間には捻りばねが弾性的に設置され、前記第一リールの外面には前記抜き孔を貫通して前記偏心ブロックと固定的に連結される引き線が周設され、前記第一リールが正方向と逆方向へ回転することにより、ファンを連動させて回転させて放熱させる。
【０００７】
好ましくは、前記引き締め装置は前記収納チャンバと前記切換チャンバとの間に回転できるように設置される第六回転軸を含み、前記収納チャンバの中の前記第六回転軸の外面には第二リールが固定的に設置され、前記第二リールの外面には、前記収納チャンバの底部の貫通孔を貫通し、且つ前記ヘルメットの底壁と固定的に連結される弾力縄が巻きつくように設けられ、前記切換チャンバの中の前記第六回転軸の末端には第四ギヤが固定的に設置され、前記切換チャンバの底壁の中にはスライド孔が設置され、前記スライド孔の中にはロックロッドがスライドできるように設置され、前記ロックロッドと前記スライド孔の端壁との間には前後対称の復帰ばねが弾性的に設置され、前記第二リールが回転して前記弾力縄を連動させて引き締め、ヘルメットの固定に便利である。
【０００８】
好ましくは、前記切換装置は前記スライドチャンバの中に回転できるように設置されるスライドブロックを含み、前記スライドブロックの中には上下に貫通するネジ穴が設置され、前記ネジ穴の中には上に伸びているネジ山ロッドがネジ山により連結され、前記ネジ山ロッドの頂部末端が前記伝動チャンバに挿入し、前記ネジ山ロッドの頂部末端には前記第一ベベルギヤと噛み合う第二ベベルギヤが固定的に設置され、前記スライドブロックの前側端壁の中には第二モータが固定的に設置され、前記第二モータの出力軸の前へ伸びている末端には前記第一ギヤと噛み合う第五ギヤが固定的に設置され、前記ネジ山ロッドが前記スライドブロックを連動させて上下に移動させ、これにより前記第五ギヤの上下移動を連動させ、動力の切換を実現する。
【発明の効果】
【０００９】
本発明の有益効果は：本発明の設備は操作が簡単で安全であり、設備は同一の動力源を利用してヘルメットを連動させて固定させ、同時にこの動力源を利用してファンの放熱を連動させ、設備には防護カバー自動開閉装置が設置されており、防護カバーを開けると同時に上記機能の動力の切換を連動させる。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の運動防護ヘルメットの全体構成模式図である；
【図２】図２は図１の中のＣ−Ｃの構成模式図である；
【図３】図３は図１の中のＡの拡大構成模式図である；
【図４】図４は図２の中のＢの拡大構成模式図である；
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜４に示すように、本発明の運動防護ヘルメットは、ヘルメット１０及び前記ヘルメット１０の中に設置される安全チャンバ１１を含み、前記安全チャンバ１１の頂壁の中には放熱チャンバ３７が設置され、前記安全チャンバ１１の頂壁の中に前記放熱チャンバ３７を貫通する複数組の通気孔２４が設置され、前記放熱チャンバ３７の底壁の中にはギヤチャンバ３５が設置され、前記ギヤチャンバ３５の底部の中にはベルトチャンバ２５が設置され、前記ベルトチャンバ２５と前記ギヤチャンバ３５との間には糸巻きチャンバ３０が設置され、前記糸巻きチャンバ３０の中には放熱装置２００が設置され、前記ヘルメット１０の上方には防護カバー１３が設置され、前記ヘルメット１０の後側端壁の中には第一モータ１６が固定的に設置され、前記第一モータ１６の出力軸の後ろへ伸びている末端が前記防護カバー１３と固定的に連結され、前記安全チャンバ１１の前側端壁の中には伝動チャンバ５９が設置され、前記伝動チャンバ５９の中には前記防護カバー１３と固定的に連結される第一回転軸５８が回転できるように設置され、前記第一回転軸５８の外面には第一ベベルギヤ６０が固定的に設置され、前記伝動チャンバ５９の下方には収納チャンバ４８が設置され、前記収納チャンバ４８の中には引き締め装置３００が設置され、前記収納チャンバ４８の前側端壁の中には上へ伸びている切換チャンバ５６が設置され、前記切換チャンバ５６の後側端壁の中にはスライドチャンバ４２が設置され、前記スライドチャンバ４２の中には切換装置４００が設置され、前記切換チャンバ５６の後側端壁の中には前記スライドチャンバ４２の上方に位置する回転チャンバ４０が設置され、前記回転チャンバ４０と前記切換チャンバ５６との間には第二回転軸５４が回転できるように設置され、前記切換チャンバ５６の中の前記第二回転軸５４の末端には第一ギヤ５５が固定的に設置され、前記回転チャンバ４０の中の前記第二回転軸５４の末端には回転盤３９が固定的に設置され、前記回転盤３９の後側端壁には偏心ブロック３８が回転できるように設置され、前記回転チャンバ４０と前記糸巻きチャンバ３０との間には抜き孔３１が連通して設置され、前記放熱装置２００と、前記引き締め装置３００と、前記切換装置４００とを合わせて使用し、ヘルメットのかぶり心地をもっと快適にさせ、ヘルメットの使用にもっと適する。
【００１５】
有益的には、前記放熱装置２００は前記放熱チャンバ３７の底壁の中に回転できるように設置される第三回転軸２３を含み、前記第三回転軸２３の底部末端にはファン１９が固定的に設置され、前記第三回転軸２３が前記ギヤチャンバ３５の中に挿入され、前記第三回転軸２３の外面には第二ギヤ２０が固定的に設置され、前記第三回転軸２３が前記ベルトチャンバ２５の中に挿入され、前記第三回転軸２３の外面には第一プーリ２７が固定的に設置され、前記糸巻きチャンバ３０の上下端壁の中には第四回転軸３４が対称的に設置され、上端の前記第四回転軸３４の末端が前記ギヤチャンバ３５に挿入され、且つ上端の前記第四回転軸３４の末端には前記第二ギヤ２０と噛み合う第三ギヤ３６が固定的に連結され、下端の前記第四回転軸３４の末端が前記ベルトチャンバ２５に挿入され、且つ下端の前記第四回転軸３４の末端には前記第二プーリ２８が固定的に連結され、前記第一プーリ２７と前記第二プーリ２８との間がベルト２６により伝動できるように係合連結され、前記糸巻きチャンバ３０の中には第五回転軸３２が回転できるように設置され、前記第五回転軸３２と前記第四回転軸３４との間にはラチェット歯止めの方向が逆であるラチェットギヤ装置３３が設置され、前記第五回転軸３２の外面には第一リール２９が固定的に設置され、前記第一リール２９の上下端壁と前記糸巻きチャンバ３０の上下端壁との間には捻りばね２１が弾性的に設置され、前記第一リール２９の外面には前記抜き孔３１を貫通して前記偏心ブロック３８と固定的に連結される引き線２２が周設され、前記第一リール２９が正方向と逆方向へ回転することにより、ファン１９を連動させて回転させて放熱させる。
【００１６】
有益的には、前記引き締め装置３００は前記収納チャンバ４８と前記切換チャンバ５６との間に回転できるように設置される第六回転軸４６を含み、前記収納チャンバ４８の中の前記第六回転軸４６の外面には第二リール４７が固定的に設置され、前記第二リール４７の外面には、前記収納チャンバ４８の底部の貫通孔６１を貫通し、且つ前記ヘルメット１０の底壁と固定的に連結される弾力縄１８が巻きつくように設けられ、前記切換チャンバ５６の中の前記第六回転軸４６の末端には第四ギヤ５２が固定的に設置され、前記切換チャンバ５６の底壁の中にはスライド孔４９が設置され、前記スライド孔４９の中にはロックロッド５１がスライドできるように設置され、前記ロックロッド５１と前記スライド孔４９の端壁との間には前後対称の復帰ばね５０が弾性的に設置され、前記第二リール４７が回転して前記弾力縄１８を連動させて引き締め、ヘルメット１０の固定に便利である。
【００１７】
有益的には、前記切換装置４００は前記スライドチャンバ４２の中に回転できるように設置されるスライドブロック４５を含み、前記スライドブロック４５の中には上下に貫通するネジ穴４４が設置され、前記ネジ穴４４の中には上に伸びているネジ山ロッド４１がネジ山により連結され、前記ネジ山ロッド４１の頂部末端が前記伝動チャンバ５９に挿入し、前記ネジ山ロッド４１の頂部末端には前記第一ベベルギヤ６０と噛み合う第二ベベルギヤ５７が固定的に設置され、前記スライドブロック４５の前側端壁の中には第二モータ４３が固定的に設置され、前記第二モータ４３の出力軸の前へ伸びている末端には前記第一ギヤ５５と噛み合う第五ギヤ５３が固定的に設置され、前記ネジ山ロッド４１が前記スライドブロック４５を連動させて上下に移動させ、これにより前記第五ギヤ５３の上下移動を連動させ、動力の切換を実現する。
【００１８】
以下、出願人は付図１〜４及び上記の本出願の運動防護ヘルメットの具体的な構成を参照してその使用方法を詳しく紹介する：
【００１９】
使用する時、頭を前記安全チャンバ１１の中に入れ、前記弾力縄１８をあごの下方に置き、この時、前記第二モータ４３を始動して前記第五ギヤ５３と、前記第四ギヤ５２と、前記第二リール４７とを連動させて回転させ、これにより前記弾力縄１８を引き締め、同時に前記第四ギヤ５２が回転して前記ロックロッド５１を連動させて上下に移動させ、これにより前記ロックロッド５１がロックされ、前記弾力縄１８を引き締めた後、前記第一モータ１６を始動して回転させ、これにより前記防護カバー１３を連動させて回転させ、これにより前記第一ベベルギヤ６０と、前記第二ベベルギヤ５７と、前記ネジ山ロッド４１とを連動させて回転させ、これにより前記スライドブロック４５を連動させて上へ移動させ、これにより前記第五ギヤ５３を連動させて前記第一ギヤ５５と噛み合わせ、この時、前記第二モータ４３を始動して前記第五ギヤ５３と、前記第一ギヤ５５と、前記回転盤３９とを連動させて回転させ、これにより前記引き線２２を連動させて往復運動させ、これにより前記捻りばね２１と合わせて前記第五回転軸３２を連動させて正方向と逆方向へ回転する運動を行い、前記第五回転軸３２が正方向へ回転する時、前記第二プーリ２８を連動させて正方向へ回転させ、前記ファン１９を連動させて正方向へ回転させ、前記第五回転軸３２が逆方向へ回転する時、前記第三ギヤ３６を連動させて逆方向へ回転させ、これにより前記第二ギヤ２０を連動させて正方向へ回転させ、これにより前記ファン１９を連動させて正方向へ回転させ、これにより前記安全チャンバ１１の中に風を吹き起こして放熱させ、設備が使用しない時、前記ロックロッド５１を引き動かして前記第四ギヤ５２から離れさせ、この時、前記第四ギヤ５２がアンロックされ、同時に前記弾力縄１８を引き動かして前記ヘルメット１０を取り外す。
【００２０】
上記の詳しい分析から分かることは：本発明の設備は操作が簡単で安全であり、設備は同一の動力源を利用してヘルメットを連動させて固定させ、同時にこの動力源を利用してファンの放熱を連動させ、設備には防護カバー自動開閉装置が設置されており、防護カバーを開けると同時に上記機能の動力の切換を連動させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020153045.tif 000003
【図２】
2020153045.tif 000004
【図３】
2020153045.tif 000005
【図４】
2020153045.tif 000006
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
ヘルメット及び前記ヘルメットの中に設置される第一空きチャンバを含み、前記第一空きチャンバの頂壁の中には放熱チャンバが設置され、前記第一空きチャンバの頂壁の中に前記放熱チャンバを貫通する複数組の通気孔が設置され、前記放熱チャンバの底壁の中にはギヤチャンバが設置され、前記ギヤチャンバの底部の中にはベルトチャンバが設置され、前記ベルトチャンバと前記ギヤチャンバとの間には糸巻きチャンバが設置され、前記第一空きチャンバの上側内壁の中には放熱装置が設置され、前記ヘルメットの上方には防護カバーが設置され、前記ヘルメットの後側端壁の中には第一モータが固定的に設置され、前記第一モータの出力軸の後ろへ伸びている末端が前記防護カバーと固定的に連結され、前記第一空きチャンバの前側端壁の中には伝動チャンバが設置され、前記伝動チャンバの中には前記防護カバーと固定的に連結される第一回転軸が回転できるように設置され、前記第一回転軸の外面には第一ベベルギヤが固定的に設置され、前記伝動チャンバの下方には収納チャンバが設置され、前記収納チャンバの中には引き締め装置が設置され、前記収納チャンバの前側端壁の中には上へ伸びている切換チャンバが設置され、前記切換チャンバの後側端壁の中にはスライドチャンバが設置され、前記スライドチャンバの中には切換装置が設置され、前記切換チャンバの後側端壁の中には前記スライドチャンバの上方に位置する回転チャンバが設置され、前記回転チャンバと前記切換チャンバとの間には第二回転軸が回転できるように設置され、前記切換チャンバの中の前記第二回転軸の末端には第一ギヤが固定的に設置され、前記回転チャンバの中の前記第二回転軸の末端には回転盤が固定的に設置され、前記回転盤の後側端壁には偏心ブロックが回転できるように設置され、前記回転チャンバと前記糸巻きチャンバとの間には抜き孔が連通して設置され、前記放熱装置と、前記引き締め装置と、前記切換装置とを合わせて使用し、ヘルメットのかぶり心地をもっと快適にさせ、ヘルメットの使用にもっと適し、
前記放熱装置は前記放熱チャンバの底壁の中に回転できるように設置される第三回転軸を含み、前記第三回転軸の上端にはファンが固定的に設置され、前記第三回転軸が前記ギヤチャンバの中に挿入され、前記第三回転軸の外面には第二ギヤが固定的に設置され、前記第三回転軸が前記ベルトチャンバの中に挿入され、前記第三回転軸の外面には第一プーリが固定的に設置され、前記糸巻きチャンバの上側内壁と下側内壁との中にはいずれも第四回転軸が設置され、上下両側の前記第四回転軸の間が互いに対称しており、上端の前記第四回転軸の末端が前記ギヤチャンバに挿入され、且つ上端の前記第四回転軸の末端には前記第二ギヤと噛み合う第三ギヤが固定的に連結され、下端の前記第四回転軸の末端が前記ベルトチャンバに挿入され、且つ下端の前記第四回転軸の末端には第二プーリが固定的に連結され、前記第一プーリと前記第二プーリとの間がベルトにより伝動できるように係合連結され、前記糸巻きチャンバの中には第五回転軸が回転できるように設置され、前記第五回転軸と前記第四回転軸との間にはラチェットギヤ装置が設置され、前記第五回転軸の外面には第一リールが固定的に設置され、前記第一リールの上下端壁と前記糸巻きチャンバの上下端壁との間には捻りばねが弾性的に設置され、前記第一リールの外面には前記抜き孔を貫通して前記偏心ブロックと固定的に連結される引き線が周設され、前記第一リールが正方向と逆方向へ回転することにより、ファンを連動させて回転させて放熱させ、
前記引き締め装置は前記収納チャンバと前記切換チャンバとの間に回転できるように設置される第六回転軸を含み、前記収納チャンバの中の前記第六回転軸の外面には第二リールが固定的に設置され、前記第二リールの外面には、前記収納チャンバの底部の貫通孔を貫通し、且つ前記ヘルメットの底壁と固定的に連結される弾力縄が巻きつくように設けられ、前記切換チャンバの中の前記第六回転軸の末端には第四ギヤが固定的に設置され、前記切換チャンバの底壁の中にはスライド孔が設置され、前記スライド孔の中にはロックロッドがスライドできるように設置され、前記ロックロッドと前記スライド孔の端壁との間には前後対称の復帰ばねが弾性的に設置され、前記第二リールが回転して前記弾力縄を連動させて引き締め、ヘルメットの固定に便利であり、
前記切換装置は前記スライドチャンバの中に回転できるように設置されるスライドブロックを含み、前記スライドブロックの中には上下に貫通するネジ穴が設置され、前記ネジ穴の中には上に伸びているネジ山ロッドがネジ山により連結され、前記ネジ山ロッドの頂部末端が前記伝動チャンバに挿入し、前記ネジ山ロッドの頂部末端には前記第一ベベルギヤと噛み合う第二ベベルギヤが固定的に設置され、前記スライドブロックの前側端壁の中には第二モータが固定的に設置され、前記第二モータの出力軸の前へ伸びている末端には前記第一ギヤと噛み合う第五ギヤが固定的に設置され、前記ネジ山ロッドが前記スライドブロックを連動させて上下に移動させることを特徴とする運動防護ヘルメット。
【手続補正２】
【補正対象書類名】明細書
【補正対象項目名】全文
【補正方法】変更
【補正の内容】
【発明の詳細な説明】
【技術分野】
【０００１】
本発明は運動防護用品分野を取り上げて、具体的には運動防護ヘルメットである。
【背景技術】
【０００２】
エクストリームスポーツの普及につれて、必要な防護がますます重要になり、特に頭部の防護、伝統的な運動防護ヘルメットは自動固定装置を有しなく、且つ防護マスクが自動的に開閉できないので、操作が不便であり、現有の運動防護ヘルメットの内部が蒸し暑く、かぶり心地があまり良くなく、そのため、運動防護ヘルメットを設計して上記の問題を解決することが必要となる。
【先行技術文献】
【特許文献】
【０００３】
【特許文献１】中国特許出願公開第１０５７６８３０８号明細書
【発明の概要】
【発明が解決しようとする課題】
【０００４】
本発明は運動防護ヘルメットを提供し、従来技術における上記欠点を解消し、設備の実用性を高めることを目的とする。
【課題を解決するための手段】
【０００５】
本発明の運動防護ヘルメットは、ヘルメット及び前記ヘルメットの中に設置される第一空きチャンバを含み、前記第一空きチャンバの頂壁の中には放熱チャンバが設置され、前記第一空きチャンバの頂壁の中に前記放熱チャンバを貫通する複数組の通気孔が設置され、前記放熱チャンバの底壁の中にはギヤチャンバが設置され、前記ギヤチャンバの底部の中にはベルトチャンバが設置され、前記ベルトチャンバと前記ギヤチャンバとの間には糸巻きチャンバが設置され、前記第一空きチャンバの上側内壁の中には放熱装置が設置され、前記ヘルメットの上方には防護カバーが設置され、前記ヘルメットの後側端壁の中には第一モータが固定的に設置され、前記第一モータの出力軸の後ろへ伸びている末端が前記防護カバーと固定的に連結され、前記第一空きチャンバの前側端壁の中には伝動チャンバが設置され、前記伝動チャンバの中には前記防護カバーと固定的に連結される第一回転軸が回転できるように設置され、前記第一回転軸の外面には第一ベベルギヤが固定的に設置され、前記伝動チャンバの下方には収納チャンバが設置され、前記収納チャンバの中には引き締め装置が設置され、前記収納チャンバの前側端壁の中には上へ伸びている切換チャンバが設置され、前記切換チャンバの後側端壁の中にはスライドチャンバが設置され、前記スライドチャンバの中には切換装置が設置され、前記切換チャンバの後側端壁の中には前記スライドチャンバの上方に位置する回転チャンバが設置され、前記回転チャンバと前記切換チャンバとの間には第二回転軸が回転できるように設置され、前記切換チャンバの中の前記第二回転軸の末端には第一ギヤが固定的に設置され、前記回転チャンバの中の前記第二回転軸の末端には回転盤が固定的に設置され、前記回転盤の後側端壁には偏心ブロックが回転できるように設置され、前記回転チャンバと前記糸巻きチャンバとの間には抜き孔が連通して設置され、前記放熱装置と、前記引き締め装置と、前記切換装置とを合わせて使用し、ヘルメットのかぶり心地をもっと快適にさせ、ヘルメットの使用にもっと適する。
【０００６】
好ましくは、前記放熱装置は前記放熱チャンバの底壁の中に回転できるように設置される第三回転軸を含み、前記第三回転軸の上端にはファンが固定的に設置され、前記第三回転軸が前記ギヤチャンバの中に挿入され、前記第三回転軸の外面には第二ギヤが固定的に設置され、前記第三回転軸が前記ベルトチャンバの中に挿入され、前記第三回転軸の外面には第一プーリが固定的に設置され、前記糸巻きチャンバの上側内壁と下側内壁との中にはいずれも第四回転軸が設置され、上下両側の前記第四回転軸の間が互いに対称しており、上端の前記第四回転軸の末端が前記ギヤチャンバに挿入され、且つ上端の前記第四回転軸の末端には前記第二ギヤと噛み合う第三ギヤが固定的に連結され、下端の前記第四回転軸の末端が前記ベルトチャンバに挿入され、且つ下端の前記第四回転軸の末端には第二プーリが固定的に連結され、前記第一プーリと前記第二プーリとの間がベルトにより伝動できるように係合連結され、前記糸巻きチャンバの中には第五回転軸が回転できるように設置され、前記第五回転軸と前記第四回転軸との間にはラチェットギヤ装置が設置され、前記第五回転軸の外面には第一リールが固定的に設置され、前記第一リールの上下端壁と前記糸巻きチャンバの上下端壁との間には捻りばねが弾性的に設置され、前記第一リールの外面には前記抜き孔を貫通して前記偏心ブロックと固定的に連結される引き線が周設され、前記第一リールが正方向と逆方向へ回転することにより、ファンを連動させて回転させて放熱させる。
【０００７】
好ましくは、前記引き締め装置は前記収納チャンバと前記切換チャンバとの間に回転できるように設置される第六回転軸を含み、前記収納チャンバの中の前記第六回転軸の外面には第二リールが固定的に設置され、前記第二リールの外面には、前記収納チャンバの底部の貫通孔を貫通し、且つ前記ヘルメットの底壁と固定的に連結される弾力縄が巻きつくように設けられ、前記切換チャンバの中の前記第六回転軸の末端には第四ギヤが固定的に設置され、前記切換チャンバの底壁の中にはスライド孔が設置され、前記スライド孔の中にはロックロッドがスライドできるように設置され、前記ロックロッドと前記スライド孔の端壁との間には前後対称の復帰ばねが弾性的に設置され、前記第二リールが回転して前記弾力縄を連動させて引き締め、ヘルメットの固定に便利である。
【０００８】
好ましくは、前記切換装置は前記スライドチャンバの中に回転できるように設置されるスライドブロックを含み、前記スライドブロックの中には上下に貫通するネジ穴が設置され、前記ネジ穴の中には上に伸びているネジ山ロッドがネジ山により連結され、前記ネジ山ロッドの頂部末端が前記伝動チャンバに挿入し、前記ネジ山ロッドの頂部末端には前記第一ベベルギヤと噛み合う第二ベベルギヤが固定的に設置され、前記スライドブロックの前側端壁の中には第二モータが固定的に設置され、前記第二モータの出力軸の前へ伸びている末端には前記第一ギヤと噛み合う第五ギヤが固定的に設置され、前記ネジ山ロッドが前記スライドブロックを連動させて上下に移動させる。
【発明の効果】
【０００９】
本発明の有益効果は：本発明の設備は操作が簡単で安全であり、設備は同一の動力源を利用してヘルメットを連動させて固定させ、同時にこの動力源を利用してファンの放熱を連動させ、設備には防護カバー自動開閉装置が設置されており、防護カバーを開けると同時に上記機能の動力の切換を連動させる。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の運動防護ヘルメットの全体構成模式図である；
【図２】図２は図１の中のＣ−Ｃの構成模式図である；
【図３】図３は図１の中のＡの拡大構成模式図である；
【図４】図４は図２の中のＢの拡大構成模式図である；
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜４に示すように、本発明の運動防護ヘルメットは、ヘルメット１０及び前記ヘルメット１０の中に設置される第一空きチャンバ１１を含み、前記第一空きチャンバ１１の頂壁の中には放熱チャンバ３７が設置され、前記第一空きチャンバ１１の頂壁の中に前記放熱チャンバ３７を貫通する複数組の通気孔２４が設置され、前記放熱チャンバ３７の底壁の中にはギヤチャンバ３５が設置され、前記ギヤチャンバ３５の底部の中にはベルトチャンバ２５が設置され、前記ベルトチャンバ２５と前記ギヤチャンバ３５との間には糸巻きチャンバ３０が設置され、前記第一空きチャンバ１１の上側内壁の中には放熱装置が設置され、前記ヘルメット１０の上方には防護カバー１３が設置され、前記ヘルメット１０の後側端壁の中には第一モータ１６が固定的に設置され、前記第一モータ１６の出力軸の後ろへ伸びている末端が前記防護カバー１３と固定的に連結され、前記第一空きチャンバ１１の前側端壁の中には伝動チャンバ５９が設置され、前記伝動チャンバ５９の中には前記防護カバー１３と固定的に連結される第一回転軸５８が回転できるように設置され、前記第一回転軸５８の外面には第一ベベルギヤ６０が固定的に設置され、前記伝動チャンバ５９の下方には収納チャンバ４８が設置され、前記収納チャンバ４８の中には引き締め装置３００が設置され、前記収納チャンバ４８の前側端壁の中には上へ伸びている切換チャンバ５６が設置され、前記切換チャンバ５６の後側端壁の中にはスライドチャンバ４２が設置され、前記スライドチャンバ４２の中には切換装置４００が設置され、前記切換チャンバ５６の後側端壁の中には前記スライドチャンバ４２の上方に位置する回転チャンバ４０が設置され、前記回転チャンバ４０と前記切換チャンバ５６との間には第二回転軸５４が回転できるように設置され、前記切換チャンバ５６の中の前記第二回転軸５４の末端には第一ギヤ５５が固定的に設置され、前記回転チャンバ４０の中の前記第二回転軸５４の末端には回転盤３９が固定的に設置され、前記回転盤３９の後側端壁には偏心ブロック３８が回転できるように設置され、前記回転チャンバ４０と前記糸巻きチャンバ３０との間には抜き孔３１が連通して設置され、前記放熱装置と、前記引き締め装置３００と、前記切換装置４００とを合わせて使用し、ヘルメットのかぶり心地をもっと快適にさせ、ヘルメットの使用にもっと適する。
【００１５】
有益的には、前記放熱装置は前記放熱チャンバ３７の底壁の中に回転できるように設置される第三回転軸２３を含み、前記第三回転軸２３の上端にはファン１９が固定的に設置され、前記第三回転軸２３が前記ギヤチャンバ３５の中に挿入され、前記第三回転軸２３の外面には第二ギヤ２０が固定的に設置され、前記第三回転軸２３が前記ベルトチャンバ２５の中に挿入され、前記第三回転軸２３の外面には第一プーリ２７が固定的に設置され、前記糸巻きチャンバ３０の上側内壁と下側内壁との中にはいずれも第四回転軸３４が設置され、上下両側の前記第四回転軸３４の間が互いに対称しており、上端の前記第四回転軸３４の末端が前記ギヤチャンバ３５に挿入され、且つ上端の前記第四回転軸３４の末端には前記第二ギヤ２０と噛み合う第三ギヤ３６が固定的に連結され、下端の前記第四回転軸３４の末端が前記ベルトチャンバ２５に挿入され、且つ下端の前記第四回転軸３４の末端には第二プーリ２８が固定的に連結され、前記第一プーリ２７と前記第二プーリ２８との間がベルト２６により伝動できるように係合連結され、前記糸巻きチャンバ３０の中には第五回転軸３２が回転できるように設置され、前記第五回転軸３２と前記第四回転軸３４との間にはラチェットギヤ装置３３が設置され、前記第五回転軸３２の外面には第一リール２９が固定的に設置され、前記第一リール２９の上下端壁と前記糸巻きチャンバ３０の上下端壁との間には捻りばね２１が弾性的に設置され、前記第一リール２９の外面には前記抜き孔３１を貫通して前記偏心ブロック３８と固定的に連結される引き線２２が周設され、前記第一リール２９が正方向と逆方向へ回転することにより、ファン１９を連動させて回転させて放熱させる。
【００１６】
有益的には、前記引き締め装置３００は前記収納チャンバ４８と前記切換チャンバ５６との間に回転できるように設置される第六回転軸４６を含み、前記収納チャンバ４８の中の前記第六回転軸４６の外面には第二リール４７が固定的に設置され、前記第二リール４７の外面には、前記収納チャンバ４８の底部の貫通孔６１を貫通し、且つ前記ヘルメット１０の底壁と固定的に連結される弾力縄１８が巻きつくように設けられ、前記切換チャンバ５６の中の前記第六回転軸４６の末端には第四ギヤ５２が固定的に設置され、前記切換チャンバ５６の底壁の中にはスライド孔４９が設置され、前記スライド孔４９の中にはロックロッド５１がスライドできるように設置され、前記ロックロッド５１と前記スライド孔４９の端壁との間には前後対称の復帰ばね５０が弾性的に設置され、前記第二リール４７が回転して前記弾力縄１８を連動させて引き締め、ヘルメット１０の固定に便利である。
【００１７】
有益的には、前記切換装置４００は前記スライドチャンバ４２の中に回転できるように設置されるスライドブロック４５を含み、前記スライドブロック４５の中には上下に貫通するネジ穴４４が設置され、前記ネジ穴４４の中には上に伸びているネジ山ロッド４１がネジ山により連結され、前記ネジ山ロッド４１の頂部末端が前記伝動チャンバ５９に挿入し、前記ネジ山ロッド４１の頂部末端には前記第一ベベルギヤ６０と噛み合う第二ベベルギヤ５７が固定的に設置され、前記スライドブロック４５の前側端壁の中には第二モータ４３が固定的に設置され、前記第二モータ４３の出力軸の前へ伸びている末端には前記第一ギヤ５５と噛み合う第五ギヤ５３が固定的に設置され、前記ネジ山ロッド４１が前記スライドブロック４５を連動させて上下に移動させる。
【００１８】
以下、出願人は付図１〜４及び上記の本出願の運動防護ヘルメットの具体的な構成を参照してその使用方法を詳しく紹介する：
【００１９】
使用する時、頭を前記第一空きチャンバ１１の中に入れ、前記弾力縄１８をあごの下方に置き、この時、前記第二モータ４３を始動して前記第五ギヤ５３と、前記第四ギヤ５２と、前記第二リール４７とを連動させて回転させ、これにより前記弾力縄１８を引き締め、同時に前記第四ギヤ５２が回転して前記ロックロッド５１を連動させて上下に移動させ、これにより前記ロックロッド５１がロックされ、前記弾力縄１８を引き締めた後、前記第一モータ１６を始動して回転させ、これにより前記防護カバー１３を連動させて回転させ、これにより前記第一ベベルギヤ６０と、前記第二ベベルギヤ５７と、前記ネジ山ロッド４１とを連動させて回転させ、これにより前記スライドブロック４５を連動させて上へ移動させ、これにより前記第五ギヤ５３を連動させて前記第一ギヤ５５と噛み合わせ、この時、前記第二モータ４３を始動して前記第五ギヤ５３と、前記第一ギヤ５５と、前記回転盤３９とを連動させて回転させ、これにより前記引き線２２を連動させて往復運動させ、これにより前記捻りばね２１と合わせて前記第五回転軸３２を連動させて正方向と逆方向へ回転する運動を行い、前記第五回転軸３２が正方向へ回転する時、前記第二プーリ２８を連動させて正方向へ回転させ、前記ファン１９を連動させて正方向へ回転させ、前記第五回転軸３２が逆方向へ回転する時、前記第三ギヤ３６を連動させて逆方向へ回転させ、これにより前記第二ギヤ２０を連動させて正方向へ回転させ、これにより前記ファン１９を連動させて正方向へ回転させ、これにより前記第一空きチャンバ１１の中に風を吹き起こして放熱させ、設備が使用しない時、前記ロックロッド５１を引き動かして前記第四ギヤ５２から離れさせ、この時、前記第四ギヤ５２がアンロックされ、同時に前記弾力縄１８を引き動かして前記ヘルメット１０を取り外す。
【００２０】
上記の詳しい分析から分かることは：本発明の設備は操作が簡単で安全であり、設備は同一の動力源を利用してヘルメットを連動させて固定させ、同時にこの動力源を利用してファンの放熱を連動させ、設備には防護カバー自動開閉装置が設置されており、防護カバーを開けると同時に上記機能の動力の切換を連動させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2020153045.tif 000007